【手続補正書】
【提出日】平成24年11月5日(2012.11.5)
【手続補正１】
【補正対象書類名】特許請求の範囲
【補正対象項目名】全文
【補正方法】変更
【補正の内容】
【特許請求の範囲】
【請求項１】
吐出スパウト（１１１）を備える用量物質（３８０、６８０）用の容器（１１０、６１０）と、前記吐出スパウト（１１１）に隣接する調量要素（１２０、２２０、３２０、４２０、５２０、６２０）とを備える用量分注デバイス（１００、２００、３００、５００、６００）であって、前記調量要素（１２０、２２０、３２０、４２０、５２０、６２０）は、
前記容器（１１０、６１０）の方向に向く側の入口開口（１２３）、
閉状態においてはスロット形状となり、前記容器（１１０、６１０）から離れる方向に向く側に配置された、出口開口（１２４、３２４、４２４、５２４、６２４）、および
前記入口開口（１２３）と前記出口開口（１２４、３２４、４２４、５２４、６２４）との間に延在する、内面および外面を有する壁部（１２５）
を備え、
少なくとも前記入口開口（１２３）および前記出口開口（１２４、３２４、４２４、５２４、６２４）を貫通して延在し、前記壁部の前記内面を覆う、フォイル形状材料（１４０、２４０、３４０、４４０、５４０、６４０）を、この用量分注デバイス（１００、２００、３００、５００、６００）内に挿入することが可能であり、さらに、
前記挿入されたフォイル形状材料（１４０、２４０、３４０、４４０、５４０、６４０）は、少なくとも前記入口開口（１２３）から前記出口開口（１２４、３２４、４２４、５２４、６２４）を貫通して前記出口開口（１２４、３２４、４２４、５２４、６２４）の下方の空間内に延在する、ホースセクション（１４１、２４１、３４１）を形成する、用量分注デバイス（１００、２００、３００、５００、６００）において、
この用量分注デバイス（１００、２００、３００、５００、６００）は、前記ホースセクション（１４１、２４１、３４１）の部分（１４５）を伸張する役割を果たす伸張デバイス（１３０、２３０、６３０）を備え、前記伸張デバイス（１３０、２３０、６３０）は、前記部分（１４５）を固定するために、少なくとも第１の固定位置決め具（１３１、２３１、３３１、５３１、６３１）および少なくとも第２の固定位置決め具（１３２、２３２、３３２、５３２）を備え、
前記２つの固定位置決め具（１３１、２３１、３３１、５３１、６３１、１３２、２３２、３３２、５３２）は、前記ホースセクション（１４１、２４１、３４１）の長手方向に対して角度をなして配置される伸張ライン（Ｓ）の上に配置され、
前記固定位置決め具（１３１、２３１、３３１、５３１、６３１、１３２、２３２、３３２、５３２）のうちの少なくとも１つが、前記伸張ライン（Ｓ）に沿って直線変位することが可能であり、
前記伸張ライン（Ｓ）を含む面により画定される前記部分（１４５）の断面周囲が、前記断面周囲が実質的に均等な長さの２つの周囲セグメント（Ｕ）に分割されるように、前記第１および第２の固定位置決め具（１３１、２３１、３３１、５３１、６３１、１３２、２３２、３３２、５３２）にて固定されることを特徴とする、用量分注デバイス（１００、２００、３００、５００、６００）。
【請求項２】
前記スロット形状出口開口（１２４、３２４、４２４、５２４、６２４）を含み、かつ前記ホースセクション（１４１、２４１、３４１）の長手方向に延在する面内に、前記伸張ライン（Ｓ）は配置されることを特徴とする、請求項１に記載の用量分注デバイス（１００、２００、３００、５００、６００）。
【請求項３】
前記伸張ライン（Ｓ）は、前記スロット形状出口開口（１２４、３２４、４２４、５２４、６２４）に対して平行に配向され、前記伸張ライン（Ｓ）と前記スロット形状出口開口（１２４、３２４、４２４、５２４、６２４）との間の距離が、前記フォイル形状材料（１４０、２４０、３４０、４４０、５４０、６４０）の材料特性により規定される最大許容距離に等しい、または前記最大許容距離よりも短いことを特徴とする、請求項１または２に記載の用量分注デバイス（１００、２００、３００、５００、６００）。
【請求項４】
前記固定位置決め具（１３１、２３１、３３１、５３１、６３１、１３２、２３２、３３２、５３２）のうちの少なくとも１つが、前記調量要素（１２０、２２０、３２０、４２０、５２０、６２０）の内部に配置されることを特徴とする、請求項２に記載の用量分注デバイス（１００、２００、３００、５００、６００）。
【請求項５】
前記伸張ライン（Ｓ）は、前記出口開口（１２４、３２４、４２４、５２４、６２４）内において延在し、前記第１の固定位置決め具（１３１、２３１、３３１、５３１、６３１）は、第１の端部（３２６）の近傍に配置され、前記第２の固定位置決め具（１３２、２３２、３３２、５３２）は、前記スロット形状出口開口（１２４、３２４、４２４、５２４、６２４）の第２の端部（３２７）の近傍に配置されることを特徴とする、請求項２に記載の用量分注デバイス（１００、２００、３００、５００、６００）。
【請求項６】
前記調量要素（１２０、２２０、３２０、４２０、５２０、６２０）は、前記出口開口（１２４、３２４、４２４、５２４、６２４）が中に形成された弾性材料を含むことを特徴とする、請求項１から３の一項に記載の用量分注デバイス（１００、２００、３００、５００、６００）。
【請求項７】
前記調量要素（１２０、２２０、３２０、４２０、５２０、６２０）において、前記固定位置決め具（１３１、２３１、３３１、５３１、６３１、１３２、２３２、３３２、５３２）は、前記スロット形状出口開口（１２４、３２４、４２４、５２４、６２４）の前記端部（３２６、３２７）に固定連結され、前記ホースセクション（１４１、２４１、３４１）は、前記出口開口（１２４、３２４、４２４、５２４、６２４）の閉鎖と同時に伸張され得ることを特徴とする、請求項６に記載の用量分注デバイス（１００、２００、３００、５００、６００）。
【請求項８】
前記ホースセクション（１４１、２４１、３４１）からラジアル方向に突出し、かつ前記固定位置決め具（１３１、２３１、３３１、５３１、６３１、１３２、２３２、３３２、５３２）に連結するように適切に構成された、耳状部（３４４）またはシーム（５４４）などの固定パーツを、前記フォイル形状材料（１４０、２４０、３４０、４４０、５４０、６４０）は少なくとも前記部分（１４５）にて備えることを特徴とする、請求項１から３，６及び７の一項に記載の用量分注デバイス（１００、２００、３００、５００、６００）。
【請求項９】
前記フォイル形状材料（１４０、２４０、３４０、４４０、５４０、６４０）は、断面において、閉鎖周囲ホースプロファイルを有することを特徴とする、請求項１から３、及び６から８の一項に記載の用量分注デバイス（１００、２００、３００、５００、６００）。
【請求項１０】
前記固定位置決め具（１３１、２３１、３３１、５３１、６３１、１３２、２３２、３３２、５３２）の間に、前記固定位置決め具（１３１、２３１、３３１、５３１、６３１、１３２、２３２、３３２、５３２）を介して電気的に接触され得る少なくとも１つの電熱線（２９１、２９２、２９３）が配置されることを特徴とする、請求項１から３、及び６から９の一項に記載の用量分注デバイス（１００、２００、３００、５００、６００）。
【請求項１１】
３つの電熱線（２９１、２９２、２９３）が、前記伸張ライン（Ｓ）に対して平行に配置され、中央電熱線（２９３）が、前記中央電熱線（２９３）に沿った前記フォイル形状材料（１４０、２４０、３４０、４４０、５４０、６４０）の制御された分離を実施するために、外方電熱線（２９１、２９２）よりも低い電気抵抗を有することを特徴とする、請求項１０に記載の用量分注デバイス（１００、２００、３００、５００、６００）。
【請求項１２】
前記用量分注デバイス（１００、２００、３００、５００、６００）は、少なくとも２つの溶接顎部（４８１、４８２）を備えることを特徴とする、請求項１から３、及び６から１１の一項に記載の用量分注デバイス（１００、２００、３００、５００、６００）。
【請求項１３】
前記調量要素（１２０、２２０、３２０、４２０、５２０、６２０）は、前記フォイル形状材料（１４０、２４０、３４０、４４０、５４０、６４０）の挿入を容易にするために、実質的に垂直面に沿って少なくとも２つの要素パーツに分離可能であることを特徴とする、請求項１から３、及び６から１２の一項に記載の用量分注デバイス（１００、２００、３００、５００、６００）。
【請求項１４】
双方の固定位置決め具（１３１、２３１、３３１、５３１、６３１、１３２、２３２、３３２、５３２）を、互いの方向に、または互いから離れる方向に、同期的に移動させることが可能であることを特徴とする、請求項１から３、及び６から１３の一項に記載の用量分注デバイス（１００、２００、３００、５００、６００）。
【請求項１５】
前記フォイル形状材料（１４０、２４０、３４０、４４０、５４０、６４０）は、少なくとも１つの導電性面を有することを特徴とする、請求項１から３、及び６から１４の一項に記載の用量分注デバイス（１００、２００、３００、５００、６００）。
【請求項１６】
請求項１から３、及び６から１５の一項に記載の用量分注デバイス（１００、２００、３００、５００、６００）において使用するためのフォイル形状材料（１４０、２４０、３４０、４４０、５４０、６４０）であって、熱可塑性ポリマーを含み、ホースセクション（１４１、２４１、３４１）の形成に適したフォイル形状材料（１４０、２４０、３４０、４４０、５４０、６４０）において、前記フォイル形状材料の長手方向に対して交差して配置された、少なくとも１つの電熱線（２９１、２９２、２９３）、導電性トレース、導電性フィラメント、または導電性リボンを、前記フォイル形状材料（１４０、２４０、３４０、４４０、５４０、６４０）は備えることを特徴とする、フォイル形状材料（１４０、２４０、３４０、４４０、５４０、６４０）。
【手続補正２】
【補正対象書類名】明細書
【補正対象項目名】００５６
【補正方法】変更
【補正の内容】
【００５６】
特定の実施形態の例を説明することにより本発明を提示したが、例えば特定の実施形態について本明細書において示された溶接デバイスなどの構成体が、他の実施形態において使用される場合、および／または、ホース形状フォイル材料などの、一実施形態のある特定の機能ユニットが、バンドの形態の材料と交換される場合などに、多数の他の変形形態が本発明の知識にもとづいて作製可能であることは、明らかであると見なされる。さらに、それぞれがそれ自体の伸張デバイスを備える複数の調量要素を、容器に連結することも可能である。とりわけ、例えば自動化されたバージョンの用量分注デバイスをさらに大型の装置の構成要素として使用する場合などに、この発明の主題を組み込み得る他の構成を想定することが可能である。
本発明は、以下の形態を有する。
[形態１]
吐出スパウト（１１１）を備える用量物質（３８０、６８０）用の容器（１１０、６１０）と、前記吐出スパウト（１１１）に隣接する調量要素（１２０、２２０、３２０、４２０、５２０、６２０）とを備える用量分注デバイス（１００、２００、３００、５００、６００）であって、前記調量要素（１２０、２２０、３２０、４２０、５２０、６２０）は、
前記容器（１１０、６１０）の方向に向く側の入口開口（１２３）、
閉状態においてはスロット形状となり、前記容器（１１０、６１０）から離れる方向に向く側に配置された、出口開口（１２４、３２４、４２４、５２４、６２４）、および
前記入口開口（１２３）と前記出口開口（１２４、３２４、４２４、５２４、６２４）との間に延在する、内面および外面を有する壁部（１２５）
を備え、
少なくとも前記入口開口（１２３）および前記出口開口（１２４、３２４、４２４、５２４、６２４）を貫通して延在し、前記壁部の前記内面を覆う、フォイル形状材料（１４０、２４０、３４０、４４０、５４０、６４０）を、この用量分注デバイス（１００、２００、３００、５００、６００）内に挿入することが可能であり、さらに、
前記挿入されたフォイル形状材料（１４０、２４０、３４０、４４０、５４０、６４０）は、少なくとも前記入口開口（１２３）から前記出口開口（１２４、３２４、４２４、５２４、６２４）を貫通して前記出口開口（１２４、３２４、４２４、５２４、６２４）の下方の空間内に延在する、ホースセクション（１４１、２４１、３４１）を形成する、用量分注デバイス（１００、２００、３００、５００、６００）において、
この用量分注デバイス（１００、２００、３００、５００、６００）は、前記ホースセクション（１４１、２４１、３４１）の部分（１４５）を伸張する役割を果たす伸張デバイス（１３０、２３０、６３０）を備え、前記伸張デバイス（１３０、２３０、６３０）は、前記部分（１４５）を固定するために、少なくとも第１の固定位置決め具（１３１、２３１、３３１、５３１、６３１）および少なくとも第２の固定位置決め具（１３２、２３２、３３２、５３２）を備え、
前記２つの固定位置決め具（１３１、２３１、３３１、５３１、６３１、１３２、２３２、３３２、５３２）は、前記ホースセクション（１４１、２４１、３４１）の長手方向に対して角度をなして配置される伸張ライン（Ｓ）の上に配置され、
前記固定位置決め具（１３１、２３１、３３１、５３１、６３１、１３２、２３２、３３２、５３２）のうちの少なくとも１つが、前記伸張ライン（Ｓ）に沿って直線変位することが可能であり、
前記伸張ライン（Ｓ）を含む面により画定される前記部分（１４５）の断面周囲が、前記断面周囲が実質的に均等な長さの２つの周囲セグメント（Ｕ）に分割されるように、前記第１および第２の固定位置決め具（１３１、２３１、３３１、５３１、６３１、１３２、２３２、３３２、５３２）にて固定されることを特徴とする、用量分注デバイス（１００、２００、３００、５００、６００）。
[形態２]
前記スロット形状出口開口（１２４、３２４、４２４、５２４、６２４）を含み、かつ前記ホースセクション（１４１、２４１、３４１）の長手方向に延在する面内に、前記伸張ライン（Ｓ）は配置されることを特徴とする、形態１に記載の用量分注デバイス（１００、２００、３００、５００、６００）。
[形態３]
前記伸張ライン（Ｓ）は、前記スロット形状出口開口（１２４、３２４、４２４、５２４、６２４）に対して平行に配向され、前記伸張ライン（Ｓ）と前記スロット形状出口開口（１２４、３２４、４２４、５２４、６２４）との間の距離が、前記フォイル形状材料（１４０、２４０、３４０、４４０、５４０、６４０）の材料特性により規定される最大許容距離に等しい、または前記最大許容距離よりも短いことを特徴とする、形態１または２に記載の用量分注デバイス（１００、２００、３００、５００、６００）。
[形態４]
前記固定位置決め具（１３１、２３１、３３１、５３１、６３１、１３２、２３２、３３２、５３２）のうちの少なくとも１つが、前記調量要素（１２０、２２０、３２０、４２０、５２０、６２０）の内部に配置されることを特徴とする、形態１または２に記載の用量分注デバイス（１００、２００、３００、５００、６００）。
[形態５]
前記伸張ライン（Ｓ）は、前記出口開口（１２４、３２４、４２４、５２４、６２４）内において延在し、前記第１の固定位置決め具（１３１、２３１、３３１、５３１、６３１）は、第１の端部（３２６）の近傍に配置され、前記第２の固定位置決め具（１３２、２３２、３３２、５３２）は、前記スロット形状出口開口（１２４、３２４、４２４、５２４、６２４）の第２の端部（３２７）の近傍に配置されることを特徴とする、形態１または２に記載の用量分注デバイス（１００、２００、３００、５００、６００）。
[形態６]
前記調量要素（１２０、２２０、３２０、４２０、５２０、６２０）は、前記出口開口（１２４、３２４、４２４、５２４、６２４）が中に形成された弾性材料を含むことを特徴とする、形態１から５の一項に記載の用量分注デバイス（１００、２００、３００、５００、６００）。
[形態７]
前記調量要素（１２０、２２０、３２０、４２０、５２０、６２０）において、前記固定位置決め具（１３１、２３１、３３１、５３１、６３１、１３２、２３２、３３２、５３２）は、前記スロット形状出口開口（１２４、３２４、４２４、５２４、６２４）の前記端部（３２６、３２７）に固定連結され、前記ホースセクション（１４１、２４１、３４１）は、前記出口開口（１２４、３２４、４２４、５２４、６２４）の閉鎖と同時に伸張され得ることを特徴とする、形態６に記載の用量分注デバイス（１００、２００、３００、５００、６００）。
[形態８]
前記調量要素（１２０、２２０、３２０、４２０、５２０、６２０）は、前記出口開口（１２４、３２４、４２４、５２４、６２４）の区域に、前記ホースセクション（１４１、２４１、３４１）の周囲全体を固定する役割を果たす周囲固定手段（４９０）を有することを特徴とする、形態６に記載の用量分注デバイス（１００、２００、３００、５００、６００）。
[形態９]
前記調量要素（１２０、２２０、３２０、４２０、５２０、６２０）は、少なくとも１つの摺動シャッタ（６２１）または少なくとも１つのシャッタ顎部を備えることを特徴とする、形態１から５の一項に記載の用量分注デバイス（１００、２００、３００、５００、６００）。
[形態１０]
前記ホースセクション（１４１、２４１、３４１）からラジアル方向に突出し、かつ前記固定位置決め具（１３１、２３１、３３１、５３１、６３１、１３２、２３２、３３２、５３２）に連結するように適切に構成された、耳状部（３４４）またはシーム（５４４）などの固定パーツを、前記フォイル形状材料（１４０、２４０、３４０、４４０、５４０、６４０）は少なくとも前記部分（１４５）にて備えることを特徴とする、形態１から９の一項に記載の用量分注デバイス（１００、２００、３００、５００、６００）。
[形態１１]
前記フォイル形状材料（１４０、２４０、３４０、４４０、５４０、６４０）は、断面において、閉鎖周囲ホースプロファイルを有することを特徴とする、形態１から１０の一項に記載の用量分注デバイス（１００、２００、３００、５００、６００）。
[形態１２]
前記固定位置決め具（１３１、２３１、３３１、５３１、６３１、１３２、２３２、３
３２、５３２）の間に、前記固定位置決め具（１３１、２３１、３３１、５３１、６３１、１３２、２３２、３３２、５３２）を介して電気的に接触され得る少なくとも１つの電熱線（２９１、２９２、２９３）が配置されることを特徴とする、形態１から１１の一項に記載の用量分注デバイス（１００、２００、３００、５００、６００）。
[形態１３]
３つの電熱線（２９１、２９２、２９３）が、前記伸張ライン（Ｓ）に対して平行に配置され、中央電熱線（２９３）が、前記中央電熱線（２９３）に沿った前記フォイル形状材料（１４０、２４０、３４０、４４０、５４０、６４０）の制御された分離を実施するために、外方電熱線（２９１、２９２）よりも低い電気抵抗を有することを特徴とする、形態１２に記載の用量分注デバイス（１００、２００、３００、５００、６００）。
[形態１４]
前記用量分注デバイス（１００、２００、３００、５００、６００）は、少なくとも２つの溶接顎部（４８１、４８２）を備えることを特徴とする、形態１から１１の一項に記載の用量分注デバイス（１００、２００、３００、５００、６００）。
[形態１５]
前記調量要素（１２０、２２０、３２０、４２０、５２０、６２０）は、前記フォイル形状材料（１４０、２４０、３４０、４４０、５４０、６４０）の挿入を容易にするために、実質的に垂直面に沿って少なくとも２つの要素パーツに分離可能であることを特徴とする、形態１から１４の一項に記載の用量分注デバイス（１００、２００、３００、５００、６００）。
[形態１６]
双方の固定位置決め具（１３１、２３１、３３１、５３１、６３１、１３２、２３２、３３２、５３２）を、互いの方向に、または互いから離れる方向に、同期的に移動させることが可能であることを特徴とする、形態１から１５の一項に記載の用量分注デバイス（１００、２００、３００、５００、６００）。
[形態１７]
前記フォイル形状材料（１４０、２４０、３４０、４４０、５４０、６４０）は、少なくとも１つの導電性面を有することを特徴とする、形態１から１６の一項に記載の用量分注デバイス（１００、２００、３００、５００、６００）。
[形態１８]
形態１から１７の一項に記載の用量分注デバイス（１００、２００、３００、５００、６００）において使用するためのフォイル形状材料（１４０、２４０、３４０、４４０、５４０、６４０）であって、熱可塑性ポリマーを含み、ホースセクション（１４１、２４１、３４１）の形成に適したフォイル形状材料（１４０、２４０、３４０、４４０、５４０、６４０）において、前記フォイル形状材料の長手方向に対して交差して配置された、少なくとも１つの電熱線（２９１、２９２、２９３）、導電性トレース、導電性フィラメント、または導電性リボンを、前記フォイル形状材料（１４０、２４０、３４０、４４０、５４０、６４０）は備えることを特徴とする、フォイル形状材料（１４０、２４０、３４０、４４０、５４０、６４０）。